(57)【要約】【課題】本発明は、高い耐衝撃性を有し、衝撃によって光学系部材の位置や傾きがずれてしまうことによる画像劣化又は故障が発生することのないレンズ鏡筒及び撮像装置を提供する。【解決手段】本発明のレンズ鏡筒は、複数の光学系部材と、上記複数の光学系部材を保持し、それぞれが第１の軸に沿って独立して進退移動可能に配設された複数の保持部と、上記第１の軸と略平行な第２の軸に沿って移動可能に配設され、上記第２の軸周りにおいて回動することにより上記複数の保持部のそれぞれを上記第１の軸に沿って移動させる複数のカム部と、該複数のカム部間に介装され、上記複数のカム部同士の上記第２の軸に沿う方向への相対的な移動を許容するように弾性変形する弾性部材と、を具備する。【選択図】図４
2009151216.tif 000002
【特許請求の範囲】
【請求項１】
複数の光学系部材と、
上記複数の光学系部材を保持し、それぞれが第１の軸に沿って独立して進退移動可能に配設された複数の保持部と、
上記第１の軸と略平行な第２の軸に沿って移動可能に配設され、上記第２の軸周りにおいて回動することにより上記複数の保持部のそれぞれを上記第１の軸に沿って移動させる複数のカム部と、
該複数のカム部間に介装され、上記複数のカム部同士の上記第２の軸に沿う方向への相対的な移動を許容するように弾性変形する弾性部材と、
を具備することを特徴とするレンズ鏡筒。
【請求項２】
上記第１の軸は、上記光学系部材の光軸と平行に配設されていることを特徴とする請求項１に記載のレンズ鏡筒。
【請求項３】
上記保持部は、それぞれが上記第１の軸に沿って独立して進退移動可能に配設された第１の保持枠及び第２の保持枠からなり、
上記カム部は、上記第１の保持枠及び第２の保持枠をそれぞれ移動させる第１のカム及び第２のカムからなり、
上記第２の軸に沿う方向について上記第１のカム及び第２のカムが所定の距離以上離間しないように上記第１のカム及び第２のカムを位置決めし、かつ上記弾性部材が所定量だけ圧縮されるように上記第１のカム及び第２のカムを近接する方向に付勢する位置決め部を具備することを特徴とする請求項２に記載のレンズ鏡筒。
【請求項４】
上記第１の軸は、上記光学系部材の光軸と離間して配設され、
上記保持部は、上記第１の軸側を基端として上記光軸へ延出する片持ち梁構造を有することを特徴とする請求項２又は３に記載のレンズ鏡筒。
【請求項５】
上記弾性部材は、コイルバネであることを特徴とする請求項１から４のいずれか一項に記載のレンズ鏡筒。
【請求項６】
上記弾性部材は、粘弾性を有する衝撃吸収部材であることを特徴とする請求項１から４のいずれか一項に記載のレンズ鏡筒。
【請求項７】
請求項１から６のいずれか一項に記載のレンズ鏡筒を具備することを特徴とする撮像装置。
【発明の詳細な説明】
【技術分野】
【０００１】
本発明は、複数の光学系部材を進退移動可能に保持するレンズ鏡筒及び撮像装置に関する。
【背景技術】
【０００２】
一般に、カメラ等の撮像装置は、被写体光束を撮像素子の受光面やフィルム面上に結像するための光学系部材であるレンズ、プリズム、反射鏡等を保持枠により保持するレンズ鏡筒を具備してなる。レンズ鏡筒は、撮像装置のフォーカシング動作やズーミング動作に応じて上記光学系部材を進退移動させる機構を有する。
【０００３】
図７に、撮像用の光学系部材を保持するレンズ鏡筒を、筐体内に具備した従来の撮像装置の例であるデジタルカメラ５００の構成を示す。図７は、従来のデジタルカメラ５００を背面側から見た図である。
【０００４】
図７に示すように、従来のデジタルカメラ５００においては、前カバー５０２及び後カバー５０３により構成された筐体内に、レンズ鏡筒５０１がゴムブッシュ５１１を介して支持されている。レンズ鏡筒５０１内に保持されるレンズ等からなる光学系部材は、いわゆる折り曲げ光学系を形成しており、該折り曲げ光学系は被写体からレンズ鏡筒の最も物体側に位置する光学系部材に向かう光軸Ｏ１と該光軸Ｏ１から９０度下方に折り曲げられてＣＣＤである撮像素子５２０に向かう光軸Ｏ２とを有している。
【０００５】
レンズ鏡筒５０１により保持される光学系は、複数のレンズ群により構成されており、例えばズーミング動作時に駆動される第２群レンズ及び第３群レンズは、それぞれ第２群レンズ枠５０４及び第３群レンズ枠５０５により保持されている。この第２群レンズ枠５０４及び第３群レンズ枠５０５は、光軸Ｏ２と平行なガイド軸５０６によって摺動可能に支持されている。
【０００６】
ガイド軸５０６の側方には、該ガイド軸５０６と平行な軸周りに回動するカム軸５０７が配設されており、該カム軸５０７には円筒螺旋カム５０８が固定されている。
【０００７】
第２群レンズ枠５０４及び第３群レンズ枠５０５には、それぞれ円筒螺旋カム５０８に形成された二つのカム面に当接する図示しないカムフォロアが設けられており、第２群レンズ枠５０４及び第３群レンズ枠５０５は、モータ５０９により駆動される円筒螺旋カム５０８の回動に伴って光軸Ｏ２に沿う方向に進退移動する。
【０００８】
また、撮像装置には、上述した撮像用の光学系部材とは別に、ファインダ用の光学系部材を保持枠により保持するレンズ鏡筒を具備するものもある。このファインダ用のレンズ鏡筒は、撮像装置のズーミング動作に応じて上記ファインダ用の光学系部材を進退移動させる機構を有している。例えば、特開２００４−２６４６９９号公報には、円筒状カム部材を用いて複数のレンズを進退移動させるズームファインダが開示されている。
【特許文献１】特開２００４−２６４６９９号公報
【発明の開示】
【発明が解決しようとする課題】
【０００９】
レンズ鏡筒に振動や落下による衝撃が加えられた場合、レンズ等の光学系部材を保持する保持枠やガイド軸に変形や破損が生じることによって光学系部材の位置や傾きがずれてしまい、得られる画像にボケや歪等の劣化が生じる又は故障が生じてしまうことがある。
【００１０】
本発明は、上記問題点に鑑みてなされたものであり、高い耐衝撃性を有し、衝撃によって光学系部材の位置や傾きがずれてしまうことによる画像劣化又は故障が発生することのないレンズ鏡筒及び撮像装置を提供することを目的とする。
【課題を解決するための手段】
【００１１】
本発明に係るレンズ鏡筒は、複数の光学系部材と、上記複数の光学系部材を保持し、それぞれが第１の軸に沿って独立して進退移動可能に配設された複数の保持部と、上記第１の軸と略平行な第２の軸に沿って移動可能に配設され、上記第２の軸周りにおいて回動することにより上記複数の保持部のそれぞれを上記第１の軸に沿って移動させる複数のカム部と、該複数のカム部間に介装され、上記複数のカム部同士の上記第２の軸に沿う方向への相対的な移動を許容するように弾性変形する弾性部材と、を具備することを特徴とする。
【発明を実施するための最良の形態】
【００１２】
以下、本発明の実施形態について図１から図５を参照して説明する。以下に述べる実施形態は、一般にデジタルスチルカメラ、デジタルカメラ、電子カメラ等と称される撮像装置に本発明を適用したものである。
【００１３】
図１は、本実施形態のカメラの前面部の外観を示す斜視図である。図２は、図１のカメラの背面を示す背面図である。なお、図２においては、同カメラの背面側の一部を破いて内部に設けられるレンズ鏡筒の配置を示している。図３は、レンズ鏡筒を背面側から見た斜視図である。図４は、ズームカム部の構成を示す部分拡大図である。図５は、ズームカム部の構成を示す分解斜視図である。
【００１４】
以下の説明において、図１に示すように、カメラを正立位置で構えた場合のカメラの左右方向をＸ方向とし、Ｘ方向と直交する上下方向をＹ方向とし、Ｘ、Ｙ方向に直交する前後方向をＺ方向とする。Ｚ方向は、被写体光束の光軸Ｏ１と平行な方向（カメラ１の厚み方向）であり、Ｚ方向にてカメラ本体１の被写体側を前側（前面側）とし、撮影者側を後側（背面側）とする。
【００１５】
本実施形態の撮像装置であるカメラ１は、レンズ鏡筒１００を内部に具備して構成されたデジタルカメラであり、略直方体の箱型形状からなる筐体を形成する外装部材と、この外装部材の内部に組み付けられる各種の組立体や電気回路等の構成部材と、この筐体の表面上に配設され前記内部構成部材と電気的又は機械的に接続された各種の情報入出力部材等によって主に構成されている。
【００１６】
具体的に本実施形態のカメラ１は、図１及び図２に示すように、前面、両側面、上面及び底面を覆うように形成された保持部である前面カバー部材２と、主に背面側を覆うように形成された背面カバー部材３とを組み合わせた箱形状の筐体を有する。この筐体の内部の所定の部位にはレンズ鏡筒１００が配設されている。
【００１７】
カメラ１の前面部には、内部に配設されたレンズ鏡筒１００に対して被写体光束を入射させるための撮影用窓２１や閃光発光装置４等が設けられている。
【００１８】
カメラ１の上面部にはシャッターボタン５、電源操作ボタン６等の操作部材が配設されている。また、図示しないがカメラ１の側面部にはストラップ取付金具や、電源電池及び記録媒体を収容する収容室が設けられている。
【００１９】
また、カメラ１の背面部には、例えばズーム操作用ボタンや動作モード設定ボタンや撮影及び再生動作切換ボタンやメニュー表示操作ボタンや撮影領域切換ボタン（マクロボタン）やストロボモード切換ボタンやセルフタイマーボタンや露出補正切換ボタン等、使用者が本カメラ１の撮影動作時及び再生動作時に実行すべき各種の操作を入力するための複数の操作部材９が設けられている。また、カメラ１の背面部には、液晶表示装置、ＥＬ表示装置等からなり情報を表示し出力する表示部１０と、が設けられている。
【００２０】
図３に示すように、レンズ鏡筒１００は、カメラ１の前面部に設けられた撮影用窓２１から入射する被写体光束の光軸Ｏ１を三角プリズムの反射面１１１によってＹ方向下向きに折り曲げるとともに、底面側に配設された撮像素子であるＣＣＤ１０２の受光面上に被写体光束を結像する、いわゆる屈曲光学系（折り曲げ光学系）を有して構成されている。以下、三角プリズムの反射面１１１によりＹ方向下向きに折り曲げられた被写体光束の光軸を光軸Ｏ２と称することとする。
【００２１】
レンズ鏡筒１００は、ＣＣＤ１０２の受光面上に被写体像を結像するレンズ、プリズム、フィルタ等からなる複数の光学系部材と、該光学系部材を保持する複数の枠状部材と、該枠状部材を光軸Ｏ２に沿って進退移動させる駆動部と、シャッタ装置１０３と、が箱形状の固定枠１０１に配設されて構成されている。
【００２２】
具体的には、レンズ鏡筒１００は、固定枠１０１と、第１群レンズ枠１１０と、第１群レンズ枠１１０の下方に光軸Ｏ２に沿って配されるレンズ保持枠の第２群レンズ枠１２０、シャッタ装置１０３、第３群レンズ枠１３０、第４群レンズ枠１４０とを有しており、さらに、固定枠１０１に支持された光軸Ｏ２と平行な軸部材であるガイド軸１５０、１５１と、リードスクリュー１５４と、ズームカム部１６０と、シャッタ駆動モータ１０４と、フォーカシングモータ１５２と、ズーミングモータ１５３とを有している。
【００２３】
第１群レンズ枠１１０は、固定枠１０１の上部に固定されており、内部に光軸Ｏ１を有する第１群レンズ（図示せず）と光軸Ｏ１を光軸Ｏ２に向けて９０°折り曲げるための反射面１１１を有する三角プリズムとを保持している。
【００２４】
第１の保持枠である第２群レンズ枠１２０は、第２群レンズ１２１を保持する合成樹脂製の保持枠部と、第１の軸であるガイド軸１５１が摺動可能に貫通する軸嵌合部としての金属製のスリーブ１２２と、引張バネ１５７が懸架されるバネ掛け部１２３と、カムフォロア部１２５とからなる。
【００２５】
第２群レンズ枠１２０は、比較的比重の高いガラス等により構成される第２群レンズ１２１を保持する保持枠部が、ガイド軸１５１から離間する方向へ延出する片持ち梁状の構成（片持ち構造）を有している。
【００２６】
第２群レンズ枠１２０には、図示しないガイド部が配設されており、第２群レンズ枠１２０は、該ガイド部によりガイド軸１５１周りの回転が規制されながらガイド軸１５１上において光軸Ｏ２と平行な方向に摺動可能に支持されている。
【００２７】
シャッタ装置１０３は、固定枠１０１に対して固設されており、内部に開閉可能なシャッタ板が収納されている。上記シャッタ板は、シャッタ駆動モータ１０４により開閉駆動される。
【００２８】
第２の保持枠である第３群レンズ枠１３０は、第３群レンズ１３１を保持する合成樹脂製の保持枠部と、ガイド軸１５１が摺動可能に貫通する金属製のスリーブ１３２と、引張バネ１５７が懸架されるバネ掛け部１３３と、カムフォロア部１３５とからなる。
【００２９】
第３群レンズ枠１３０は、ガイド軸１５０により回転規制された状態でガイド軸１５１により光軸Ｏ２と平行な方向に摺動可能に支持されている。
【００３０】
第３群レンズ枠１３０は、第２群レンズ枠と同様に第３群レンズ１３１を保持する保持枠部が、ガイド軸１５１から離間する方向へ延出する片持ち梁状の構成を有している。
【００３１】
第４群レンズ枠１４０は、フォーカシングレンズである第４群レンズ１４１を保持する合成樹脂製の枠状部材であり、光軸Ｏ２上においてレンズ鏡筒１００の下方に配されるＣＣＤ１０２の前方（図３中の上方）に配される。この第４群レンズ枠１４０は、ガイド軸１５１により回転規制された状態でガイド軸１５０により光軸Ｏ２と平行な方向に摺動可能に支持され、リードスクリュー１５４に螺合するナット部材に対して引張バネ１５６の付勢力によって当接した状態で保持されている。
【００３２】
カメラ１の合焦動作時には、フォーカシングモータ１５２により回転駆動されるリードスクリュー１５４を介して第４群レンズ枠１４０が光軸Ｏ２に沿う方向に進退駆動される。
【００３３】
また、詳しくは後述するが、カメラ１のズーム動作時には、ズーミングモータ１５３により回転駆動されるズームカム部１６０によって、第２群レンズ枠１２０及び第３群レンズ枠１３０が光軸Ｏ２に沿う方向に進退移動される。
【００３４】
上述したレンズ鏡筒１００の固定枠１０１には、光軸Ｏ２から所定の距離だけＸ方向左側に離間した位置に、光軸Ｏ１と平行な方向に貫通孔１０５、１０６が形成されている。レンズ鏡筒１００は、この貫通孔１０５、１０６内に挿入される緩衝材であるゴムブッシュを介して、前面カバー部材２に支持される。
【００３５】
以下に、上述した本実施形態のレンズ鏡筒１００における、第２群レンズ枠１２０及び第３群レンズ枠１３０の駆動機構について、詳細に説明する。
【００３６】
図４及び図５に示すように、本実施形態のズームカム部１６０は、第２の軸であるズームカム軸１８１により支持された第１のカム及び第２のカムである一対の円筒螺旋カム１６１及び１７１と、該一対の円筒螺旋カム１６１及び１７１の間に介装される弾性部材であるコイルバネ１８０とを具備して構成されている。
【００３７】
ズームカム軸１８１は、光軸Ｏ２と平行な軸周りに回動可能に配設された軸状部材であり、Ｙ方向下側に配設されたギヤボックスを介してズーミングモータ１５３の回動軸に接続されている。ズームカム軸１８１は、ズーミングモータ１５３の回動軸の回動に伴い、光軸Ｏ２と平行な軸周りに回動する。
【００３８】
円筒螺旋カム１６１及び１７１には、それぞれ同一の形状を有するＤ字状の貫通孔１６３及び１７３が形成されている。該貫通孔１６３及び１７３に、ズームカム軸１８１のＤ面１８１ａが形成された部位が遊嵌（すきまばめ、とも称する）される。したがって、一対の円筒螺旋カム１６１及び１７１は、それぞれズームカム軸１８１の回動に伴い回動するとともに、ズームカム軸１８１の軸方向に摺動可能である。
【００３９】
また、円筒螺旋カム１６１及び１７１には、それぞれ所定のカムプロファイルを有する螺旋状のカム面１６２及び１７２が形成されている。このカム面１６２及び１７２は、円筒螺旋カム１６１及び１７１がレンズ鏡筒１００内に配設された状態において、それぞれＹ方向外側に向くように形成されている。
【００４０】
円筒螺旋カム１６１及び１７１の間には、ズームカム軸１８１の軸方向に弾性変形可能な弾性部材である金属製のコイルバネ１８０が挟持されている。
【００４１】
そして、円筒螺旋カム１６１及び１７１は、間に介装されたコイルバネ１８０が所定量だけ圧縮された状態で、ズームカム軸１８１の一端側の突き当て部１８１ｂとズームカム軸１８１の他端側に固設されるピニオンギヤ１８２との間に挟持されており、これにより軸方向の位置決めがなされている。すなわち、突き当て部１８１ｂ及びピニオンギヤ１８２は、円筒螺旋カム１６１及び１７１を近接する方向に付勢する位置決め部を構成している。
【００４２】
上述したように、円筒螺旋カム１６１及び１７１は、ズームカム軸１８１の軸方向に摺動可能であることから、コイルバネ１８０が圧縮方向に変形することにより、円筒螺旋カム１６１及び１７１の軸方向の相対的な距離が変化する。
【００４３】
なお、コイルバネ１８０は、円筒螺旋カム１６１及び１７１の間に挟持された状態において、両端部が円筒螺旋カム１６１及び１７１の互いに対抗する面に形成された凹部に嵌め込まれることにより、径方向の位置決めがなされている。
【００４４】
一方、ズームカム軸１８１と平行に配設されたガイド軸１５１には、上述したように、第２群レンズ枠１２０及び第３群レンズ枠１３０が軸方向に摺動可能に支持されている。
【００４５】
この第２群レンズ枠１２０及び第３群レンズ枠１３０には、上記円筒螺旋カム１６１及び１７１のカム面１６２及び１７２にそれぞれ当接するように延出するカムフォロア部１２５及び１３５が形成されている。
【００４６】
また、第２レンズ枠１２０及び第３群レンズ枠１３０は、それぞれのバネ掛け部１２３及び１３３間に張架される引張バネ１５７により、互いに接近する方向に付勢されている。これにより、カムフォロア部１２５及び１３５は、それぞれＹ方向外側に向いたカム面１６２及び１７２に当接する方向に付勢され、カム面１６２及び１７２に従動する。
【００４７】
上記構成を有するカメラ１のレンズ鏡筒１００のズーム動作時には、ズーミングモータ１５３によりズームカム軸１８１が駆動されることにより円筒螺旋カム１６１及び１７１が回動する。そして、この回動する円筒螺旋カム１６１及び１７１のカム面１６２及び１７２にカムフォロア部１２５及び１３５が従動することにより、第２群レンズ枠１２０及び第３群レンズ枠１３０が光軸Ｏ２に沿う方向に進退移動されるのである。
【００４８】
上述した構成を有する本実施形態のレンズ鏡筒１００の作用及び効果を以下に説明する。本実施形態のカメラ１が上下面のいずれかを下方に向けた状態で地面等に落下した場合、又はカメラ１の上下面のいずれかに障害物が衝突した場合には、レンズ鏡筒１００にＹ方向、すなわち光軸Ｏ２に沿う方向の衝撃力（分力を含む）が加えられる。
【００４９】
このとき、第２群レンズ枠１２０及び第３群レンズ枠１３０にはその重心に自重に応じた力が光軸Ｏ２に沿う方向に加えられる。この第２群レンズ枠１２０及び第３群レンズ枠１３０に加えられた光軸Ｏ２に沿う方向の力は、カムフォロア部１２５及び１３５を介して円筒螺旋カム１６１及び１７１に伝達され、両円筒螺旋カム１６１及び１７１の間に挟持されたコイルバネ１８０が第２群レンズ枠１２０及び第３群レンズ枠１３０に加えられた光軸Ｏ２に沿う方向の力に応じて圧縮方向に弾性変形する。
【００５０】
したがって、レンズ鏡筒１００に光軸Ｏ２に沿う方向の衝撃力が加えられた場合においては、コイルバネ１８０の変形により、円筒螺旋カム１６１及び１７１が両者間の距離が変化するように相対的に移動するため、第２群レンズ枠１２０及び第３群レンズ枠１３０に加えられる力が緩和される。
【００５１】
よって本実施形態によれば、光軸Ｏ２に沿う方向の衝撃力が入力された場合の第２群レンズ枠１２０、第３群レンズ枠１３０及びガイド軸１５１の変形や破損を防止することが可能となり、レンズ鏡筒１００の耐衝撃性を向上させることができる。
【００５２】
なお、上述したように、光学系部材を保持する保持部である第２群レンズ枠１２０及び第３群レンズ枠は、ガイド軸１５１から離間する方向へ延出する片持ち梁状の構成を有している。具体的には、第２群レンズ枠１２０及び第３群レンズ枠は、ガイド軸１５１に略直交する方向に延在する保持枠部を有している。
【００５３】
例えば、第２群レンズ枠１２０に着目した場合、第２群レンズ１２１を含めた第２群レンズ枠１２０の重心は、ガイド軸１５１から光軸Ｏ２側へ離間した位置となる。これは、合成樹脂製である第２群レンズ枠１２０に比してより比重の高いガラス製の第２群レンズ１２１が光軸Ｏ２を中心として配設されているからである。
【００５４】
このような、重心位置がガイド軸１５１から離間した位置に存在する片持ち梁状の第２群レンズ枠１２０は、光軸Ｏ２に沿う方向の衝撃力が加えられた場合に第２群レンズ枠１２０の固定端（基部）近傍やガイド軸１５１との摺動部近傍に応力が集中するため、当該部位に変形もしくは破損が生じやすい。
【００５５】
しかしながら、本実施形態のレンズ鏡筒１００においては、上述したように光軸Ｏ２に沿う方向の衝撃力が加えられた場合に、コイルバネ１８０が変形することにより第２群レンズ枠１２０が移動するため、片持ち梁形状の第２群レンズ枠１２０の基部に与えられる応力を緩和することができる。
【００５６】
すなわち、本実施形態によれば、片持ち梁形状のレンズ保持枠を有するレンズ鏡筒において、衝撃の入力によるレンズ保持枠の変形や破損を防止することができ、高い耐衝撃性を実現することが可能となるのである。
【００５７】
なお、上述した実施形態におけるコイルバネ１８０は、他の弾性変形可能な部材に置き換えることが可能である。例えばコイルバネ１８０は、板バネや皿バネ等の他の形態のバネ部材に置き換えることが可能である。また、弾性部材であるコイルバネ１８０は、上述した金属製に限らず、樹脂や複合素材により構成されてもよいことは言うまでもない。
【００５８】
また例えば、円筒螺旋カム１６１及び１７１とコイルバネ１８０とが、一体に成形された構成であってもよい。
【００５９】
なお、本実施形態においては、ズームカム部を円筒螺旋カムにより構成しているが、ズームカム部は円筒溝カムや円筒リブカム等の他の形態であってもよいし、また、ズームカム部を構成するカムは一対に限らず３個以上であってもよい。
【００６０】
例えば、３つのレンズ群を保持したレンズ保持枠を光軸に沿って独立して移動させるレンズ鏡筒において、この３つのレンズ保持枠をそれぞれ駆動する３つの円筒溝カムが前記光軸と略平行な所定の軸周りに回動可能に配設される構成であってもよい。この場合、３つの円筒溝カムの間に弾性部材であるコイルバネが挟持される。
【００６１】
次に、上述した本実施形態のレンズ鏡筒１００の変形例を図６を参照して説明する。本変形例では、上述した実施形態の構成に対し、ズームカム部１６０における弾性部材のみが異なる。よって、以下ではこの相違点のみを説明するものとし、上述した実施形態と同様の構成要素については同一の符号を付してその説明を適宜に省略するものとする。
【００６２】
図６に示すように、本変形例においては、円筒螺旋カム１６１及び１７１の間に、ゴムやウレタン等の樹脂製の粘弾性を有する弾性部材である衝撃吸収部材１８０ａが介装されている。
【００６３】
衝撃吸収部材１８０ａは粘弾性を有するため、レンズ鏡筒１００への衝撃力の入力に伴って上述のように変位する円筒螺旋カム１６１又は１７１の運動エネルギーを熱エネルギーに変換するため、より効率的に第２群レンズ枠１２０又は第３群レンズ枠１３０レンズ鏡筒１００に加えられる衝撃を緩和することが可能となる。
【００６４】
なお衝撃吸収部材１８０ａには、例えば、ソルボセイン（登録商標）、アルファゲル（登録商標）等が適用され得る。
【００６５】
なお、上述した実施形態のカメラ１が具備するレンズ鏡筒は、被写体光束を三角プリズムの反射面１１１により本体下方へ折り曲げる、いわゆる屈曲光学系を有して構成されたものであるが、本発明に係るレンズ鏡筒及び撮像装置はこの構成に限られるものではない。
【００６６】
例えば、レンズ鏡筒内において被写体光束の光軸が折り曲げられることのない構成であってもよいし、また被写体光束の光軸が複数の反射面により複数回折り曲げられる構成であってもよい。
【００６７】
また、上述した実施形態においては、撮像装置であるカメラ１にレンズ鏡筒が内蔵される形態を示しているが、本発明は、レンズ鏡筒が撮像装置の本体部から外部に露出した形態や、撮像装置の本体部とレンズ鏡筒とが分離可能に別体に構成された形態にも適用可能であることは言うまでもない。
【００６８】
上述した実施形態に基づいて、以下の構成を提案することができる。すなわち、  
（付記１）  
レンズ鏡筒において、  
光軸方向に移動する二つのレンズ枠と、  
上記二つのレンズ枠の一方を光軸方向に移動させる第１のカム部と、  
上記第１のカム部と同軸に配置され、上記第１のカム部と伴に回転して上記二つのレンズ枠の他方を光軸方向に移動させる第２のカム部と、  
上記第１のカム部と上記第２のカム部との光軸方向の相対位置を所定の間隔とするように付勢し、撮影可能状態では上記第１のカム部と上記第２のカム部は伴に回転し、光軸方向には相対移動させないように上記第１のカム部と上記第２のカム部との間に配置され、レンズ鏡枠に衝撃が加えられたときには、上記第１のカム部と上記第２のカム部の光軸方向への相対移動を可能とする衝撃吸収部材と、  
を備えたことを特徴としたレンズ鏡筒。
【００６９】
（付記２）  
上記衝撃吸収部材はコイルバネであることを特徴とした上記付記１記載のレンズ鏡筒。
【００７０】
（付記３）  
上記衝撃吸収部材はエネルギー吸収素材であることを特徴とした上記付記１記載のレンズ鏡筒。
【００７１】
また、本願説明中の数々の実施形態を組み合わせることも適宜行えばよいことはもちろんである。
【００７２】
なお、本発明は、上述した実施形態に限られるものではなく、特許請求の範囲及び明細書全体から読み取れる発明の要旨或いは思想に反しない範囲で適宜変更可能であり、そのような変更を伴うレンズ鏡筒及び撮像装置もまた本発明の技術的範囲に含まれるものである。
【００７３】
例えば、本発明に係るレンズ鏡筒は、上述の実施形態で説明したカメラ用のレンズ鏡筒に限らず、複数の光学系部材を駆動する形態を具備した光学機器にも適用可能であることは言うまでもない。
【００７４】
例えば、本発明に係るレンズ鏡筒は、上述の実施形態で説明したカメラ用のレンズ鏡筒に限らず、複数の光学系部材を駆動する形態を具備した光学機器にも適用可能であることは言うまでもない。本発明を適用し得る光学機器としては、例えば双眼鏡、望遠鏡、顕微鏡、撮像装置用の光学ファインダや、プロジェクタやプロジェクションテレビのような投射型表示装置が挙げられる。
【００７５】
また、本発明に係る撮像装置は、上述の実施形態で説明したデジタルカメラの形態に限らず、フィルムによる撮影を行うカメラであってもよいし、録音機器、携帯電話、ＰＤＡ、ゲーム機、デジタルビデオカメラ、デジタルメディアプレーヤー、テレビ、ＧＰＳ、時計等の電子機器に配設された撮像装置であってもよいことは言うまでもない。
【図面の簡単な説明】
【００７６】
【図１】カメラの前面部の外観を示す斜視図である。
【図２】カメラの背面を示す背面図である。
【図３】レンズ鏡筒の組み立て構造を示す斜視図である。
【図４】ズームカム部の構成を示す部分拡大図である。
【図５】ズームカム部の構成を示す分解斜視図である。
【図６】本発明の変形例を示す図である。
【図７】従来のデジタルカメラの構成を説明する図である。
【符号の説明】
【００７７】
１  カメラ、  ２  前面カバー部材、  ３  背面カバー部材、  ９  操作部材、  １０  表示部、  １００  レンズ鏡筒、  １０２  ＣＣＤ、  １２０  第２群レンズ枠、  １３０  第３群レンズ枠、  １５１  ガイド軸、  １５３  ズーミングモータ、  １６０  ズームカム部、  １６１  円筒螺旋カム、  １６２、カム面、  １７１  円筒螺旋カム、  １７２  カム面、  １８０  コイルバネ、  １８１  ズームカム軸、  １８２  ピニオンギヤ、  Ｏ１  光軸、  Ｏ２  光軸
【図１】
2009151216.tif 000003
【図２】
2009151216.tif 000004
【図３】
2009151216.tif 000005
【図４】
2009151216.tif 000006
【図５】
2009151216.tif 000007
【図６】
2009151216.tif 000008
【図７】
2009151216.tif 000009